(57)【要約】      （修正有）【課題】製作工程が少なく、シート材料の端切れ部を生じず低コストで、注ぎやすい濾過袋を提供する。【解決手段】濾過袋２を構成する四角形のシート材料を設け、横巾の２倍の縦長とした四角形状の左右どちらかの一方の側端部を封じて密着し下端に位置する折り目辺と封じて密着した側端部との中間に位置する角部９を下方に位置させたとき逆円すい形の濾過袋２を構成し、逆円すい形の濾過袋２の前側と背面側にそれぞれ全体が三角形状をして上方口８より上に伸び出てた部分は上方口８より広く外方向に伸び出て、お湯やコーヒー粉を袋内に注ぎ入れる際の注ぎ面として機能し注ぎやすくするとともに、その先端側はさらにカップ上に濾過袋２を位置する時のドリップスタンド１５へ取り付けることができる。【選択図】図５
2013034816.tif 000002
【特許請求の範囲】
【請求項１】
通水性濾過袋を有するシート材料により逆円すい形の濾過袋を構成するためにシート材料で構成する濾過袋を平たくした状態で正四角形となり、この平たい状態の濾過袋の一辺の長さをシート材料の縦長として、この縦長の２倍の横巾としたシート材料を設け中央部に縦方向に貫通する折り目を設け、この折り目からシート材料を二つ折りにし正四角形の濾過袋を構成し折り目を左に位置した時、下端辺の合わせたシート材料の端部を封じ密着して、この下端辺と折り目辺の接する角部を下方に位置する時、封じていない上端辺と右側辺の２辺が上方にむき開放する事で濾過袋の上方口を形成しており、この右側辺と上端辺が構成する三角型の二枚のシート材料が上方口から上に伸び出て位置しており、この二枚のシート材料の先端側の角部にはそれぞれのシート材料の外壁面側に角部形に合わせた三角形状の厚紙等に防水加工をした支持体を設け三角形状の支持体の下辺を下方に向け他の二辺を濾過袋の上端辺と右側辺の端部に合わせシート材料と支持体の端部の部分で一体に貼り合わせ密着しており、この支持体の下辺側から上方に向けてシート材料の外壁面との間に透き間を構成し三角型で下方側が広い口部となる下方向きの袋部を設けており、この袋部をとらえてカップ上に濾過袋を浮かせて位置させるためのドリップスタンドは、定置するためのスタンド部を下端に有しここから縦方向に伸びた支持柱の上端部にはカップ上に左右からＵ字型に伸び出た２本の支持アームを有し、その先端部には上方に伸び出た上方向きの三角型の凸部を有し濾過袋の上方口の上に左右に伸び出たシート材料の角部に支持体により設けた袋部に、この凸部を入れ左右から支えてカップ上に濾過袋を位置させ保持するものである以上からなることを特徴とした濾過袋とドリップスタンド。
【請求項２】
シート材料により構成した濾過袋を平たくした状態の一辺の長さの２倍の長さで縦と横の長さが同じ正四角形のシート材を設けシート材の中央に縦方向に折り目を設けて折り曲げ重ねて折り目を左側方に位置した時、右側に位置した辺は開放されており、横方向の辺である上下の二辺の下端と上端は封じて一体に端部を定着しておりこの縦長状となったシート材の中央には上下の切り離しするためのミシン目を左右横方向に貫通して背面側と前面側のシート材料に設けており、このミシン目から切り離し上部側と下部側の濾過袋を分離して、どちらか一方の濾過袋の折り目辺と封じた横方向の辺との接する角部を下方に向け切り離したミシン目辺と開放している右側辺を上方に向けて、この二辺の接する上端側の角部を左右に開き上方口とする全体が逆円すい形の濾過袋を形成され、さらにこの開放された上方口の左右に位置する二辺の角部にはそれぞれ、この濾過袋をカップ上に位置させ吊り下げるための袋部を設けるために濾過袋を上部側と下部側にミシン目から分離する前の状態で厚紙等に防水加工をした支持体で、高さの２倍の巾の底辺とした二等辺三角形の支持体を設け、この底辺の中央から頂点に貫けたミシン目を設け、このミシン目とシート材料側のミシン目を合わせシート材料の右側辺である開放辺に支持体の底辺を位置させシート材料に支持体を貼着しており貼着方法は支持体の底辺側とシート材料の右側辺の端部を貼り合わせ密着しており、さらに支持体の底辺中央から頂点の角部に貫けて設けたミシン目の線上の両サイドにもそれぞれシート材料側と貼着し密着しておりシート材料と支持体の同位置としたミシン目から上部側と下部側に濾過袋を分離した時にシート材料のミシン目辺の端部と支持体のミシン目辺の端部どうしが貼着され一体となり支持体の頂点側に伸びた左右の二辺がそれぞれ下辺となり、この下辺部を入り口として支持体とシート材料との間に透き間を設け三角形状の袋部を構成しており使用の際はシート材料と支持体のミシン目から上部側と下部側に分離して単体の濾過袋として使用する以上からなることを特徴とした請求項１記載の濾過袋。
【請求項３】
濾過袋を構成するシート材料の一辺の長さを濾過袋を平たくした四角形状の時の一辺の長さの横巾を４倍とし縦方向の長さは２倍として、横巾の中央に縦方向に貫通する折り目を設け縦方向に二つ折りにした時に、折り目辺を左に位置した時のシート材料の下端辺と上端辺さらに右側端辺の三辺を封じ角端部を密着して封じる、この時にシート材料は全体が正方形となり、この上端と下端に位置する横辺の中央部に上下に貫通するミシン目を前面側と背面側のシート材料に設けており、縦方向に位置する折り目辺と右側端辺の中央に左右に貫通するミシン目も背面側と全面側に設けており、この縦方向と横方向の交差する交差点を中心に正四角形の支持体を背面側のシート材料と前面側のシート材料の外側面側にそれぞれ貼着するために支持体の正四角形の各角部から対象の位置の角部に貫通するミシン目を支持体に設けており、この二本のミシン目の交差する点とシート材料側のミシン目の交差点を合わせ互いのミシン目も同一線上に合わせており、このシート材料と支持体の貼着は縦方向のミシン目と横方向のミシン目の両サイド部をそれぞれ貼着しており、縦方向のミシン目と横方向のミシン目で濾過袋を一個ごとに独立させるため分離した時に縦方向のミシン目辺と横方向のミシン目辺で構成する濾過袋の上方口の上方に伸び出た二枚のシート材料の、先端側の角部にはそれぞれのシート材料の横方向と縦方向の二本のミシン目辺のそれぞれの端部と支持体の二本のミシン目辺の端部どうしで貼着され正三角形を構成した支持体の底辺側を入り口とする三角形状の袋部をシート材料と支持体で透き間を設け構成している以上からなることを特徴とした請求項１記載の濾過袋。
【請求項４】
カップ上に濾過袋を浮かせて位置させるためのドリップスタンドは、定置するためのスタンド部を下端に有しここから縦方向に伸びた支持柱の上端部にはカップ上に左右からＵ字型に伸び出た２本の支持アームを有し、その先端部には上方に伸び出た上方向きの三角型の凸部を有し濾過袋の上方口の上に左右に伸び出たシート材料の角部に支持体により設けた袋部に、この凸部を入れ左右から支えてカップ上に濾過袋を位置させ保持することを特徴とした請求項１記載のドリップスタンド。
【請求項５】
シート材料と支持体で構成する、カップ上に濾過袋を浮かせて保持するため濾過袋の上方口側に設けた袋部が、シート材料と支持体で透き間を構成し、その形状が三角型で下方側が広い口部としてなる下方向きの袋部の形状であることを特徴とした請求項１記載の濾過袋。
【発明の詳細な説明】
【技術分野】  本発明はコーヒー等の抽出をするため飲用容器上に位置させ使用するドリップ用の濾過袋と、それを保持する支持具としたスタンド式の濾過袋ホルダーに関するものである。
【背景技術】
【０００１】  通水性濾過性を有するシート材料で濾過袋を構成しカップ等にセットしてコーヒー等を抽出する使い捨てドリッパーは、濾過袋をカップ上に保持するための支持体として防水加工をした厚紙等を濾過袋に取り付けて構成していたが（実開昭５７−１４５３２２）や（特開２００４−１３０１０４）及び（登録実案第３０４２２９２号）の様にカップの口部上に置きセットする方式は濾過袋の外側全体に支持体を構成するため製造工程が複雑になり又使用する支持体の面積も多く必要とするため高コストになっていた。【０００２】  これに比較して（実案登録２５０５９５９）や（特開２００２−２３８７６７）及び（特開２００４−２４７００）などの様に帯状のシート材料に、あらかじめ支持体を取り付けておき、これを２つ折りにして上下と側辺の三辺を封じて中にコーヒー粉を充填する製袋方式の製造方法の場合は製造工程が少なく低コストになるが、三辺を封じるため、この三辺を封じるスペースを必要となりこのスペースをのこし支持体は濾過袋全体形の大きさの内側に位置したサイズの大きさでなければならずカップ上に濾過袋を高く保持するために必要な支持体の面積が少なくドリップ性を高める事は容易ではなくカップ内に袋部が半分位置して保持する方式になりドリップが充分ではなかった。【０００３】  ドリップ性が高く低コストなタイプとしては（特開２０００−１５７４１８）や（実開昭６０−２１２３２）及び（特開平１１−１１３７５２）の様に濾過袋とそれを保持する支持体が別構造であり濾過袋だけを使い捨てる方式が低コストでありドリップ性も高い利点があった。
【先行技術文献】
【特許文献】
【特許文献】（実開平６−２１５２６）（特開２００４−１３０１０４）（実開昭５７−１４５３２２）（登録実案第３０４２２９２号）（実案登録２５０５９５９）（特開２００２−２３８７６７）（特開２００４−２４７００）（特開２０００−１５７４１８）（実開昭６０−２１２３２）（特開平１１−１１３７５２）
【発明の概要】
【発明が解決しようとする課題】
【０００４】  濾過袋と、これをカップ上に保持する支持具とが別構造で脱着可能として濾過袋だけを使用する毎に取り換えるタイプ（実開平６−２１５２６）や（実開昭６０−２１２３２）及び（特開２００１−３１４３２４）は低コストであるが支持具に脱着するために濾過袋に設けた穴部からフィルター自体がやぶれる事や又は脱着に手数を要する使用上の課題があった。【０００５】  又これら、カップ上に直接支持具を置く方式はカップの口部と直接支持具が接するため又（特開平１１−１１３７５２）の様に支持具の内側面と全体的に濾過袋が接する方式も同様に使用の毎に洗い使用する手数を要した。【０００６】  又（実開昭６０−２１２３２）や（実開平６−２１５２６）及び（特開平１１−１１３７５２）の様に濾過袋の全体形が扇形であったり濾過袋の口部から上方に伸び出た部分を有することなど製造する際に使用する濾過袋材料にロスが生じ高コストになる要素となっていた。
【課題と解決するための手段】
【０００７】  通水性濾過性を有するシート材料により濾過袋を形成し、カップ上に濾過袋を浮かせて位置させるための支持具としての支持柱を設け、これを安定させるためのスタンド部を支持柱の下端部に取り付け設け、上部に濾過袋を支えるためのアーム部をカップ上に左右から伸ばし袋部の口部をとらえて保持するドリップスタンドを設けて、カップの口部上に支持具を置くことなくカップ上に濾過袋を浮かせて保持する事を目的としている。
【０００８】  通水性濾過袋を有するシート材料により逆円すい形の濾過袋を構成するためにシート材料で構成する濾過袋を平たくした状態で正四角形となり、この平たい状態の濾過袋の一辺の長さをシート材料の縦長として、この縦長の２倍の横巾としたシート材料を設け中央部に縦方向に貫通する折り目を設け、この折り目からシート材料を二つ折りにし正四角形の濾過袋を構成し折り目を左に位置した時、下端辺の合わせたシート材料の端部を封じ密着して、この下端辺と折り目辺の接する角部を下方に位置する時、封じていない上端辺と右側辺の２辺が上方にむき開放する事で濾過袋の上方口を形成しており、この右側辺と上端辺が構成する三角型の二枚のシート材料が上方口から上に伸び出て位置しており、この二枚のシート材料の先端側の角部にはそれぞれのシート材料の外壁面側に角部形に合わせた三角形状の厚紙等に防水加工をした支持体を設け三角形状の支持体の下辺を下方に向け他の二辺を濾過袋の上端辺と右側辺の端部に合わせシート材料と支持体の端部の部分で一体に貼り合わせ密着しており、この支持体の下辺側から上方に向けてシート材料の外壁面との間に透き間を構成し三角型で下方側が広い口部となる下方向きの袋部を設けており、この袋部をとらえてカップ上に濾過袋を浮かせて位置させるためのドリップスタンドは、定置するためのスタンド部を下端に有しここから縦方向に伸びた支持柱の上端部にはカップ上に左右からＵ字型に伸び出た２本の支持アームを有し、その先端部には上方に伸び出た上方向きの三角型の凸部を有し濾過袋の上方口の上に左右に伸び出たシート材料の角部に支持体により設けた袋部に、この凸部を入れ左右から支えてカップ上に濾過袋を位置させ保持するものである。
【０００９】  シート材料により構成した濾過袋を平たくした状態の一辺の長さの２倍の長さで縦と横の長さが同じ正四角形のシート材を設けシート材の中央に縦方向に折り目を設けて折り曲げ重ねて折り目を左側方に位置した時、右側に位置した辺は開放されており、横方向の辺である上下の二辺の下端と上端は封じて一体に端部を定着しておりこの縦長状となったシート材の中央には上下の切り離しするためのミシン目を左右横方向に貫通して背面側と前面側のシート材料に設けており、このミシン目から切り離し上部側と下部側の濾過袋を分離して、どちらか一方の濾過袋の折り目辺と封じた横方向の辺との接する角部を下方に向け切り離したミシン目辺と開放している右側辺を上方に向けて、この二辺の接する上端側の角部を左右に開き上方口とする全体が逆円すい形の濾過袋を形成され、さらにこの開放された上方口の左右に位置する二辺の角部にはそれぞれ、この濾過袋をカップ上に位置させ吊り下げるための袋部を設けるために濾過袋を上部側と下部側にミシン目から分離する前の状態で厚紙等に防水加工をした支持体で、高さの２倍の巾の底辺とした二等辺三角形の支持体を設け、この底辺の中央から頂点に貫けたミシン目を設け、このミシン目とシート材料側のミシン目を合わせシート材料の右側辺である開放辺に支持体の底辺を位置させシート材料に支持体を貼着しており貼着方法は支持体の底辺側とシート材料の右側辺の端部を貼り合わせ密着しており、さらに支持体の底辺中央から頂点の角部に貫けて設けたミシン目の線上の両サイドにもそれぞれシート材料側と貼着し密着しておりシート材料と支持体の同位置としたミシン目から上部側と下部側に濾過袋を分離した時にシート材料のミシン目辺の端部と支持体のミシン目辺の端部どうしが貼着され一体となり支持体の頂点側に伸びた左右の二辺がそれぞれ下辺となり、この下辺部を入り口として支持体とシート材料との間に透き間を設け三角形状の袋部を構成しており使用の際はシート材料と支持体のミシン目から上部側と下部側に分離して単体の濾過袋として使用する。
【００１０】  濾過袋を構成するシート材料の一辺の長さを濾過袋を平たくした四角形状の時の一辺の長さの横巾を４倍とし縦方向の長さは２倍として、横巾の中央に縦方向に貫通する折り目を設け縦方向に二つ折りにした時に、折り目辺を左に位置した時のシート材料の下端辺と上端辺さらに右側端辺の三辺を封じ角端部を密着して封じる、この時にシート材料は全体が正方形となり、この上端と下端に位置する横辺の中央部に上下に貫通するミシン目を前面側と背面側のシート材料に設けており、縦方向に位置する折り目辺と右側端辺の中央に左右に貫通するミシン目も背面側と全面側に設けており、この縦方向と横方向の交差する交差点を中心に正四角形の支持体を背面側のシート材料と前面側のシート材料の外側面側にそれぞれ貼着するために支持体の正四角形の各角部から対象の位置の角部に貫通するミシン目を支持体に設けており、この二本のミシン目の交差する点とシート材料側のミシン目の交差点を合わせ互いのミシン目も同一線上に合わせており、このシート材料と支持体の貼着は縦方向のミシン目と横方向のミシン目の両サイド部をそれぞれ貼着しており、縦方向のミシン目と横方向のミシン目で濾過袋を一個ごとに独立させるため分離した時に縦方向のミシン目辺と横方向のミシン目辺で構成する濾過袋の上方口の上方に伸び出た二枚のシート材料の、先端側の角部にはそれぞれのシート材料の横方向と縦方向の二本のミシン目辺のそれぞれの端部と支持体の二本のミシン目辺の端部どうしで貼着され正三角形を構成した支持体の底辺側を入り口とする三角形状の袋部をシート材料と支持体で透き間を設け構成している。
【００１１】  濾過袋を形成するシート材料をムダなく利用して端切れを生じさせず袋部を構成し設けて低コスト化を計り同時に生産工程の簡略化と連続作業工程を基調とした濾過袋の構成とし低コスト化を行ない同時にドリップスタンドへの脱着も確実で容易なものとするために、全体形が四角形でありシート材料を横巾と縦方向が同じ正四角形の中央に縦方向に折り目を設け横方向にも中央に左右に貫通するミシン目を設け折り目から縦方向に二つに折り曲げ二枚重ね状にして下端辺と上端辺を封じ密着しており、折り目側の辺と対称の辺は開放された開放辺としておりミシン目から上方部と下方部に使用の際は切り離し上端辺か下端辺の一方と折り目辺の接する角部を下方に位置し切り離したミシン目辺と開放辺を上方に向け濾過袋の上方口としており、この開放辺とミシン目辺の接する角部には上方口の左右に伸び出て位置した先端側の角部にはそれぞれ角部形に合わせ正三角形の厚紙等に防水加工をした支持体を濾過袋の外壁面側にミシン目辺と開放辺の二辺の端部側だけを貼着して三角形の支持体とシート材料の間に空間を設け三角型の支持体の下辺側が開放された袋部を構成しており、これを連続的に効率良く生産するためシート材料を縦長方向に帯状とし縦方向に二つ折りにして横方向の上端辺を閉じ密着した後に下端辺を閉じ密着する時に連続する次の下方に位置する濾過袋の上端辺を同時に貼着し、その上端辺と下端辺の中間を切断分離して行く事で製作工程数の簡略化を計っている。
【００１２】  ドリップスタンドのアーム部はカップ上にＵ字型に左右から伸び出ており、このアーム部の先端部に上方に伸び出た三角型の凸部をそれぞれ設けており、この凸部が濾過袋の上方口に左右に伸び出た上端側の角部に支持体とシート材料で設けた袋部内に入りとらえて濾過袋の上方口を開きカップ上に支え保持する。
【発明の効果】
【００１３】  濾過袋は四角形のシート材料を二つ折りして一辺だけを封じ密着するだけで逆円すい形の袋形を構成できるため製作工程が少なく又、シート材料の端切れ部を生じず低コストとなり、この逆円すい形の濾過袋は上方口が広くなるためお湯やコーヒー粉を入れやすい利点があり、この上方口からさらに上方に伸び出た二辺は三角形状であり、その先端側に伸び出た角部に設けた袋部をドリップスタンドの上部に設けたアーム部の先端の凸部が濾過袋をとらえる部分として機能するとともに上方口より、この二辺シート材料は上方に伸び出て外側に開き構えているため、この伸び出た三角形状の内面が、お湯やコーヒー粉を入れる際の注ぎ面の作用も有し注ぎやすくなる効果を有す。
【００１４】  ドリップスタンドは濾過袋の上方口より上部に伸び出て位置した二辺の三角辺の角部に支持体とシート材料で構成した袋部が濾過袋を支えとらえるため濾過袋内のお湯やコーヒー粉と接する事がなく又、カップ上に置く事もないため衛生的であり又、濾過袋の上方口から上に伸び出た三角辺の袋部をとらえるドリップスタンドであるため、従来の様に穴部をとらえるのに比較しシート材料の破損も生じず袋内の重量を支える保持力が高く又、三角形状の袋部は袋部内の底辺側が広く開き構えているためドリップスタンドのアーム先端の凸部も同じ三角形状で先端が角部であるため袋部の底辺の口部の巾が広く袋部をとらえやすいためセットしやすく又、濾過袋内にお湯などの重量が加わる事で凸部の三角形状と袋部の三角形状がかみ合い濾過袋が前後左右に動く事が生じず安定性が高まる。
【００１５】  濾過袋の製作工程を連続して行う場合に、帯状のシート材料を縦方向に中央から折り曲げ次の工程で横辺の上端辺と下端辺を封じ密着する時に横辺の下端と連続する下方に位置する下端辺同時に封じて、その上下に隣り合う下端辺と下端辺中間を切り離す工程とする事を連続する事で２個の濾過袋を同時に製作できるため生産効率が高まり低コスト化となり支持体もミシン目で使用の際に分離されるためシート材料に支持体を貼り付ける工程も２個の濾過袋分を一行程で行なえる又、４個の濾過袋を同時に生産する場合シート材料を２倍の横巾として折り目を左側に位置した時に右側の側端を封じながら横方向の上端と下端を同時に封じて、その中間を分離して行く事で同じ工程で４個の濾過袋が製作でき生産効率をさらに高める事ができ、この時縦方向の折り目辺と封じた右側端辺の中央に縦方向に設けたミシン目部を切断しながら分離する事も連続作業が可能である支持体をシート材料に一度で４個分を貼着でき効率的である。
【図面の簡単な説明】
【００１６】
【図１】濾過袋のシート材料の平面図
【図２】形成された状態を示す正面図
【図３】濾過袋の上方口を開いた状態の斜視図
【図４】ドリップスタンドのアームドリップ部と濾過袋の袋部の拡大図で斜視図
【図５】濾過袋をドリップスタンドにセットした状態の斜視図
【図６】２個の濾過袋が一体である状態の展開図で斜視図
【図７】２個の濾過袋の正面図
【図８】４個の濾過袋の正面図
【発明を実施するための形態】
【実施例１】
【００１７】  図１〜図５に示す様に通水性濾過性を有するシート材料１により逆円すい形の濾過袋２を構成するために、縦長の２倍の横巾のシート材料１を設け中央部に縦方向に貫通する折り目３を設け、この折り目３からシート材料１を図１と図２に示す様に二つ折りにし正四角形を構成しこの折り目３を左に位置した時に下端部辺４の合わせた２枚のシート材料１の端部を封じ密着して、この下端部４と折り目辺３の接する角部５を図３に示す様に下方に位置する時、封じていない上端辺６と右側辺７の２辺が上方に向き濾過袋２の上方口８を形成しており、この右側辺７と上端辺６の接する角部９が上方口８から上に伸び出て位置した、この角部９には支持体１１を設け取り付けている。【００１８】  支持体１１はシート材料１の外壁面１０側に角部９の形状に合わせた三角形状の厚紙等に防水加工をした支持体１１を設け三角形状の支持体１１の下辺１２を下方に向け他の二辺を濾過袋２の上端辺６と右側辺７の端部に合わせシート材料１の端部と支持体１１の端部どうしの部分で密着し一体にして貼着部２０で封じており支持体１１の下辺１２側が開き口部３７となり上方に向けてシート材料１の外壁面１０との間に透き間を構成し三角形状の袋部１３を図４に示す様に設けており、この袋部１３をとらえて図５に示す様にカップ１４上に濾過袋２を浮かせて位置させるものであり、又支持体１１は厚紙に防水加工をした硬性を有した材質であるが柔軟性を有しているシート材料１を代用しても良い。
【実施例２】
【００１９】  ドリップスタンド１５は定置するためのスタンド部１６を下端に有し縦方向に伸びた支持柱１７の上端部にはカップ１４上に左右からＵ字型に伸び出た支持アーム１８を有し、その先端部には上方に伸び出た三角型の凸部１９を有し濾過袋２の上方口８の上に左右に伸び出た角部９に支持体１１に上り設けた袋部１３に、この凸部１９を入れカップ１４上に濾過袋２の上方口８を開き位置させ保持するものである。
【実施例３】
【００２０】  図５と図６に示す様に横巾と縦方向の長さを同じとしたシート材料１を設け中央に縦方向に折り目２１を設けて二つ折りにし、折り目２１を左側に位置した時に右側辺４０は開放されており上端辺２５と下端辺２６を封じ密着しており、このシート材料１に、底辺３８の２分の１の高さを有した二等辺三角形の支持体２３を設け底辺３８の中央から頂点３９に伸びたミシン目２４を支持体２３は有しこのミシン目２４とシート材料１のミシン目２２を合わせ支持体２３の底辺３８を右側辺４０に合わせ位置して底辺３８の端部と右側辺４０の端部を貼着部２０で一体に貼着し、ミシン目２４の両サイドも同様にシート材料１と貼着しており支持体２３の縦辺４１側が口部３７となる袋部１３を設けており使用の際はミシン目２２から上下に分離して使用するもので、濾過袋２を図１と図２に示す同じ生産工程数となりシート材料１への支持体２３の貼着も一度で良く濾過袋２を２個同時に連続生産できるため生産効率が高まる。
【実施例４】
【００２１】  図６に示す状態の濾過袋を連続して生産する場合に図７に示す様に帯状のシート材料１を縦方向に二つ折りにした時、下方の連続するシート材料１を加工する場合にシート材料１に横方向に位置した下端辺２６と下端辺２５を同時に貼着加工し、その中央の切断部２７で上下に分離して図６に示す状態と同様の濾過袋としている。
【実施例５】
【００２２】  図８に示す様にシート材料１を図６で示すシート材料１の横巾を２倍とし縦方向の長さも２倍として、横巾の中央に縦方向に貫通する折り目２８を図８に示す様に設け縦方向に二つ折りにした時に、折り目２８を左に位置させシート材料１の下端辺２９と上端辺３０さらに右側端辺３１の三辺を封じ各端部を密着して封じる、この時にシート材料１は全体が正方形となり、この上下に位置する下端辺２９と上端辺３０の中央から縦方向に貫通するミシン目３２を前面側と背面側のシート材料１に設けており、縦方向に位置する折り目２８辺と右側端辺３１の中央に貫通するミシン目３３も背面側と全面側に設けており、この縦方向と横方向の交差する交差点３４を中心に正四角形の支持体３５を背面側のシート材料１と前面側のシート材料１の外壁面に、それぞれ貼着するために、正四角形の各角部から対称の位置の角部に貫通するミシン目３６を支持体に設けており、この二本のミシン目３６の交差する点とシート材料１の交差点３４を合わせ図４に示すシート材料１と支持体１１の貼着部２０と同じ貼着方式でシート材料１に支持体３５を貼着している。【００２３】  これを連続して生造する場合は、図７に示す様に帯状のシート材料１として連続して生産する方式で行なうが縦方向のミシン目３２を切断する工程を加える事でも良く生産工程数が同じでも４個の濾過袋２を生産できる効率とする事ができる。
【符号の説明】
【００２４】１．シート材料
２．濾過袋
３．折り目
４．下端部辺
５．角部
６．上端辺
７．右側辺
８．上方口
９．角部
１０．外壁面
１１．支持体
１２．下辺
１３．袋部
１４．カップ
１５．ドリップスタンド
１６．スタンド部
１７．支持柱
１８．支持アーム
１９．凸部
２０．貼着部
２１．折り目
２２．ミシン目
２３．支持体
２４．ミシン目
２５．上端辺
２６．下端辺
２７．切断部
２８．折り目
２９．下端辺
３０．上端辺
３１．右側端辺
３２．ミシン目
３３．ミシン目
３４．交差点
３５．支持体
３６．ミシン目
３７．口部
３８．底辺
３９．頂点
４０．右側辺
４１．縦辺
【図１】
2013034816.tif 000003
【図２】
2013034816.tif 000004
【図３】
2013034816.tif 000005
【図４】
2013034816.tif 000006
【図５】
2013034816.tif 000007
【図６】
2013034816.tif 000008
【図７】
2013034816.tif 000009
【図８】
2013034816.tif 000010